(57)【要約】【課題】簡便かつ安価に提供することができ、光源を点灯させていない際には後続車から表示板に表示された文字等が視認されることなく、光源を点灯させた際、表示板に表示された文字等が後続車から視認可能となる、自動車用表示装置を提供する。【解決手段】自動車用表示装置は、前側に開口する開口部２１を有し、後側に閉塞した底部２３を有する本体ケース２と、開口部２１を覆うように取り付けられる表示板１と、本体ケース２の内側に設けられた光源３と、を備えている。表示板１は、樹脂ガラス板１１から構成され、樹脂ガラス板１１の後側に、光源３からの光が運転者の意志を表示する文字等として透過する文字部１３が形成され、樹脂ガラス板１１の前側に金属蒸着層からなるマジックミラー部１２が形成されている。【選択図】図５
0003216635.tif 000002
【実用新案登録請求の範囲】
【請求項１】
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の後側に、該光源からの光が運転者の意志を表示する文字等として透過する文字部が形成され、該樹脂ガラス板の前側に金属蒸着層からなるマジックミラー部が形成されていることを特徴とする自動車用表示装置。
【請求項２】
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の前側に金属蒸着層からなるマジックミラー部が形成され、
該表示板の後方の該本体ケースに、文字板が該本体ケースと該光源を覆うように脱着可能とする脱着手段を備え、
該文字板に、該光源からの光が運転者の意志を表示する文字として透過する文字部を備えていることを特徴とする自動車用表示装置。
【請求項３】
上記光源が複数のＬＥＤ（発光ダイオード）から構成され、該ＬＥＤが前記周壁部の内側に備えられ、前記底部の明度Ｌ＊（ＪＩＳ  Ｚ  ８７３０）が５０以上であることを特徴とする請求項１又は２に記載の自動車用表示装置。
【考案の詳細な説明】
【技術分野】
【０００１】
本考案は、自動車のリアウインドーの内側等に取り付け、後続車に対し、メッセージを表示する自動車用表示装置に関する。
【背景技術】
【０００２】
一般道路や高速道路などの車道走行中に車線変更し、追い抜きや割り込みなどの行為を行った自動車の運転手は、慣例として、後続車に対してハザードランプを点滅させて謝意のメッセージを表す。ハザードランプを点滅させて謝意のメッセージを表す行為は、慣例としては行なわれているものの、道路交通法上の定める使用方法ではなく、外国から訪日されたドライバーや、慣例を知らないドライバーには、その意味が理解されないことがある。また、道路交通法上の定めでは、ハザードランプの使用は、停車の意思表示を示すものである。このため、ハザードランプを点滅させる行為は、意思表示が不明確となり、交通事故を誘発するおそれがあることもあった。
【０００３】
謝意のメッセージを明確に表示する自動車用表示装置として、従来、下記特許文献１において、光源によって表示される表示体であって、「ありがとう」の文字等が抜かれた第１の表示板と、第１の表示板の背面の他色の第２の表示板と、を備える自動車用表示装置が知られている。この自動車用表示装置は、光源を点滅点灯させることによって、「ありがとう」の文字等を点滅表示させ、運転者の謝意を後続車に表示するものである。また、下記特許文献２において、運転者の操縦意志又は感情を表示する文字をＬＥＤ（発光ダイオード）ボード又は液晶板をもって表示するように構成された自動車用表示装置が知られている。この意思表示装置は、スイッチの切換えにより、ＬＥＤボード又は液晶板に、「ありがとう」などの文字を表示し、運転者の謝意のメッセージを後続車に表示するものである。
【先行技術文献】
【特許文献】
【０００４】
【特許文献１】特開平１１−３２１４５７号公報
【特許文献２】特開平５−９４１３８号公報
【考案の概要】
【考案が解決しようとする課題】
【０００５】
しかしながら、特許文献１に記載の従来の自動車用表示装置は、第１の表示板に謝意を表現する文字として「ありがとう」の文字が抜かれているため、光源を点灯させていない場合であっても、謝意を表現する文字が視認できるものであった。つまり、従来の自動車用表示装置は、光源の点灯に係らず、後続車から謝意を表現する文字が視認できるものであり、追い抜きや割り込みなどの行為を行った際に運転手が光源の点灯により、謝意を後続車に示しても、すでに後続車のドライバーは、謝意の文字を視認しているため、謝意のメッセージ性が十分でないという問題点があった。また、特許文献２に記載の従来の自動車用表示装置は、ＬＥＤボード又は液晶板に文字を記載するため、ＬＥＤボード又は液晶板自体が高価なものであり、文字を記載する制御手段も高価なものであるため、簡便かつ安価に提供することができないという問題点があった。
【０００６】
本考案は、上述の点に鑑みてなされたものであり、簡便かつ安価に提供することができ、光源を点灯させていない際には後続車から表示板に表示された文字等が視認されることなく、光源を点灯させた際、表示板に表示された文字等が後続車から視認可能となる、自動車用表示装置を提供することを目的とする。
【課題を解決するための手段】
【０００７】
本考案に係る自動車用表示装置は、
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の後側に、該光源からの光が運転者の意志を表示する文字等として透過する文字部が形成され、該樹脂ガラス板の前側に金属蒸着層からなるマジックミラー部が形成されていることを特徴とする。
【０００８】
本考案の自動車用表示装置によれば、光源を点灯させた際、光源からの光は、文字部で運転者の意志を表示する文字等を表した形体で透過し、文字等を表した形体のままマジックミラー部を透過する。このため、文字等を表した形体の光は、自動車用表示装置の前方から視認可能となる。一方、光源を点灯させていない際には、光源からの光は無く、自動車用表示装置の前方からは、マジックミラー部の反射により、文字部の文字等が視認されないものとすることができる。また、本考案の自動車用表示装置は、高価な、ＬＥＤボードや液晶板や、文字を記載する制御手段を使用していないため、簡便かつ安価に提供することができる。つまり、本考案の自動車用表示装置によれば、簡便かつ安価に提供することができ、光源が点灯されていない際には、後続車から文字等が視認されず、点灯時（追い抜きや割り込みなどの行為を行った際）に、はじめて運転者の意志を表示する文字等を表示することができるため、後続車に謝意のメッセージを十分に伝えることができる。
【０００９】
また、本考案に係る自動車用表示装置は、
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の前側に金属蒸着層からなるマジックミラー部が形成され、
該表示板の後方の該本体ケースに、文字板が該本体ケースと該光源を覆うように脱着可能とする脱着手段を備え、
該文字板に、該光源からの光が運転者の意志を表示する文字として透過する文字部を備えていることを特徴とする。
【００１０】
本考案の自動車用表示装置によれば、光源を点灯させた際、光源からの光は、文字板で運転者の意志を表示する文字等を表した形体で透過し、文字等を表した形体のままマジックミラー部を透過する。このため、文字等を表した形体の光は、自動車用表示装置の前方から視認可能となる。一方、光源を点灯させていない際には、光源からの光は無く、自動車用表示装置の前方からは、マジックミラー部の反射により、文字部の文字等が視認されないものとすることができる。また、文字板は、脱着手段への脱着により交換が可能である。このため、文字板の交換により、運転者の意志を表示する文字等を変更することができる。
【００１１】
ここで、上記自動車用表示装置において、上記光源が複数のＬＥＤ（発光ダイオード）から構成され、該ＬＥＤが前記周壁部の内側に備えられ、前記底部の明度Ｌ＊（ＪＩＳ  Ｚ  ８７３０）が５０以上である構成とすることができる。
【００１２】
これによれば、光源となるＬＥＤが周壁部の内側に備えられているため、ＬＥＤの間接光によって謝意を表現する文字が表示板に表示される。表示板に表示される謝意を表現する文字は、直接光でなく均一化された間接光によって表示されるため、光の強弱のない均一化された文字とすることができ、視認性に優れるものとすることができる。また、光源がＬＥＤであり、底部の明度Ｌ＊が５０以上であり反射率が高く、少ない電力で間接光を明るいものとすることができるため、自動車用表示装置の点灯の省エネルギー化を図ることができる。
【考案の効果】
【００１３】
本考案の自動車用表示装置によれば、簡便かつ安価に提供することができ、光源が点灯されていない際には、後続車から文字等が視認されず、点灯時（追い抜きや割り込みなどの行為を行った際）に、はじめて運転者の意志を表示する文字等を表示することができるため、後続車に謝意のメッセージを十分に伝えることができる。
【図面の簡単な説明】
【００１４】
【図１】本考案の第１実施形態の自動車用表示装置の消灯時の正面図である。
【図２】同自動車用表示装置の点灯時の正面図である。
【図３】同自動車用表示装置の正面側から見た斜視図である。
【図４】同自動車用表示装置の表示板を外した状態の正面側から見た斜視図である。
【図５】図１のＶ−Ｖ概略断面図である。
【図６】本考案の第２実施形態の自動車用表示装置の文字板を外した状態の正面側から見た斜視図である。
【図７】文字板を挿入した状態の図６のＶＩＩ−ＶＩＩ概略断面図である。
【図８】自動車の車室内に取付けられた自動車用表示装置の概略図である。
【考案を実施するための形態】
【００１５】
以下、本考案の第１実施形態に係る自動車用表示装置を図面に基づいて説明する。図４に示すように、この自動車用表示装置は、前側に開口する開口部２１を有し、後側に閉塞した底部２３を有し、開口部２１から底部２３に向かって形成された周壁部２４を有する本体ケース２と、開口部２１の前面を覆うように取り付けられる表示板１と、本体ケース２の内側に設けられた光源３と、を備える自動車用表示装置であって、表示板１が樹脂ガラス板１１から構成され、樹脂ガラス板１１の後側に、光源３からの光が運転者の意志を表示する文字等として透過する文字部１３が形成され、樹脂ガラス板１１の前側に金属蒸着層からなるマジックミラー部１２が形成されている。
【００１６】
本明細書において、自動車用表示装置の各部の前後は、図４に示すように、前が表示板１側で、後が本体ケース２側であり、上下左右は、図８に示すように、後続車側から見た上下左右と同じである。なお、実施形態の自動車用表示装置は、左右方向に長い矩形状としたが、上下方向に長い矩形状であっても良く、略正方形状としても良い。また、本明細書において、文字等とは、文字、図形及び記号を含むものであり、これらを単独で用いても良く、組み合わせで用いても良いものである。
【００１７】
本体ケース２は、図４に示すように、前側に開口する開口部２１を有し、後側に閉塞した底部２３を有し、開口部２１から底部２３に向かって形成された周壁部２４を有する箱状の筐体であり、上下側の周壁部２４の内側には光源３として複数のＬＥＤ３１が備えられている。
【００１８】
本体ケース２は、その材質は特に限定されるものではないが、加工性と可撓性に優れる発泡スチロールから成形されるのが好ましい。発泡スチロールとして、ビーズ法発泡スチロール（ＥＰＳ（Expanded Polystyrene））、発泡スチレンシート（ＰＳＰ（Polystyrene paper））、押出法発泡ポリスチレン（ＸＰＳ（Extruded Polystyrene））を使用することができるが、実施形態の本体ケース２には、少量生産に適した発泡スチレンシートを使用した。本体ケース２が発泡スチロールから形成されていることによって、本体ケース２は、加工性に優れ、加工が容易であるため、製造単価を抑えることができる。また、本体ケース２は、可撓性に優れ、外部から衝撃を受けた際に変形が可能であるため、事故等により、自動車用表示装置が乗員へ接触した際には、乗員への衝撃を抑えることができる。さらに、本体ケース２は、自動車用表示装置が乗員へ接触した際の乗員への衝撃をより抑えるように、図１に示す如く、正面視において略矩形状の本体ケース２の角部を丸く面取りした面取り部２５が形成されている。
【００１９】
本体ケース２の底部２３は、その明度Ｌ＊（ＪＩＳ  Ｚ  ８７３０）が５０以上であることが好ましい。後述する光源３からの光の反射率を高くし、少ない電力で間接光を明るいものとすることができるためである。なお、実施形態の自動車用表示装置では、測定場所によっても異なるが、底部２３の明度Ｌ＊は、８０〜９０の範囲の値となる。
【００２０】
図４，５に示すように、本体ケース２の上下側の周壁部２４の内側には、複数の光源３が備えられている。光源３は、その種類として特に限定されるものではないが、省エネルギー性に優れるＬＥＤが好ましい。対向する上下側の周壁部２４の内側に複数のＬＥＤ３１が備えられているため、底部２３の間接光を明るいものとすることができる。なお、実施形態の光源３には、複数のＬＥＤを備えたフレシキブル基板からなるＬＥＤ群を使用した。光源３からは、電源が供給される電源コード４が本体ケース２の外に配設される。電源コード４には、図示しない電源（変圧装置等を含む）と操作スイッチが接続される。電源には、自動車の電源を使用することができるが、自動車の電源に依存しない太陽電池などの電池を使用することもできる。操作スイッチは、自動車用表示装置の点灯・消灯を操作するものであり、運転席周辺の運転に差支えのない場所に設置される。なお、実施形態の操作スイッチには、点灯により一定時間（７秒間）点灯し、その後消灯するタイマー制御のスイッチを使用した。
【００２１】
本体ケース２の開口部２１の前面には、表示板１が取り付けられる。表示板１は、樹脂ガラス板１１から構成され、樹脂ガラス板１１の後側に、光源３からの光が運転者の意志を表示する文字等として透過する文字部１３が形成され、樹脂ガラス板１１の前側に金属蒸着層からなるマジックミラー部１２が形成されている。
【００２２】
樹脂ガラス板１１は、光透過性を有する樹脂製のガラス板であり、特にその材質が限定さるものではないが、アクリル板、ポリカーボネート板などを使用することができる。実施形態の樹脂ガラス板には、加工が容易であり、また、薄い厚みでも高い強度を有するポリカーボネート板を使用した。
【００２３】
文字部１３は、樹脂ガラス板１１の後側に形成され、光源３からの光が運転者の意志を表示する文字等として透過するものである。文字部１３は、文字等の部分が光を透過するよう文字等以外の部分を光から遮蔽する中抜き文字、文字等以外の部分が光を透過するよう文字等の部分を光から遮蔽する外抜き文字、どちらの構成であっても使用することができる。文字部１３が中抜き文字の場合、図２に示す如く、文字等を形成する形体が光を透過する非隠蔽部１５となり、文字等を形成しない形体が光を透過しない隠蔽部１４となる。外抜き文字の場合、図示しないが、文字等を形成する形体が隠蔽部となり、文字等を形成しない形体が非隠蔽部となる。実施形態の文字部１３では、中抜き文字を用いた。文字部１３の形成は、例えば、インクジェットプリンターを用いた印刷を施すことや、隠ぺい粘着テープを貼付することによって形成することができる。
【００２４】
マジックミラー部１２とは、明るい側からは鏡に見え、明るい側の光は反対側の暗い側に透過し、暗い側からは透明ガラスに見える光学要素であり、ミラーガラスとも呼ばれるものである。マジックミラー部１２は、金属蒸着層からなり、樹脂ガラス板１１の前側に形成される。金属蒸着層は、汎用のプラズマＣＶＤ（plasma-enhanced chemical vapor deposition）装置を用いて樹脂ガラス板１１の前側に形成することができる。マジックミラー部１２の透過率は、５〜５０％であるものが好ましい。この透過率のマジックミラー部１２は、光源を点灯させた際に、文字を表した形状の光が前方へ透過し、後続車から視認可能でありながら、電源を消灯させた際には、後続車からは鏡に見え、文字等を形成する形体が視認されにくいためである。マジックミラー部１２の透過率が、５％未満である場合には、光源を点灯させた際に、文字等を形成する形体の光が前方（後続車）から視認し難くなるおそれがある。一方、透過率が５０％を超えると、電源を消灯させた際に、文字等を形成する形体が前方（後続車）から視認されてしまうおそれがある。より好ましくは、マジックミラー部１２の透過率は、１０〜４０％であり、さらに好ましくは、１０〜３０％である。実施形態のマジックミラー部の透過率は、１０％とした。透過率の調整は、プラズマＣＶＤ装置による金属蒸着層の厚みの調整によって行うことができる。なお、樹脂ガラス板１１にマジックミラー部１２が形成された既製品も使用することができる。
【００２５】
自動車用表示装置にて表示される文字等の表示色は、色温度（ＪＩＳ  Ｚ  ８７２５）が１８００〜３５００Ｋの暖色であることが好ましい。後続車への謝意のメッセージ性に温厚効果を加えることができるためである。色温度が１８００Ｋ未満だと、刺激の強い赤となり、謝意のメッセージ性に刺激効果を加えることになり、好ましくない。一方、色温度が３５００Ｋを超えると、寒色系の色となり、謝意のメッセージ性が冷淡なものとなり、好ましくない。より好ましくは、文字等の表示色の色温度は、１８００〜２８００Ｋであり、さらに好ましくは、２０００〜２５００Ｋである。
【００２６】
自動車用表示装置にて表示される文字等の表示色の色温度の調整は、樹脂ガラス板１１への着色、本体ケース２の底部２３への着色、光源３の色の選択によって行うことができる。着色は、樹脂ガラス板１１又は底部２３への暖色系の顔料又は染料の混合や、暖色系の顔料又は染料を含む塗膜の成形により行うことができる。光源３の色の選択は、光源３に、暖色系の白熱灯や赤色ＬＥＤを用いることにより行うことができる。実施形態の自動車用表示装置では、樹脂ガラス板１１に、透過光の色温度が１９００Ｋとなる着色が施されたポリカーボネート板を使用することによって、文字等の表示色の調整を行った。
【００２７】
上記構成の自動車用表示装置は、図８に示すように、自動車ＣのリアウインドーＲＷの内側に設置される。設置は、両面粘着テープを用いてリアウインドーＲＷに接着させた。電源が供給される電源コード４は、インストルメントパネル内を通り、自動車のバッテリーと運転席の操作スイッチに接続させた。
【００２８】
通常の状態の場合、運転者は操作スイッチをオフにし、ＬＥＤ３１を消灯の状態とする。このとき、ＬＥＤ３１からの光は無く、本体ケース２内は暗いため、自動車用表示装置の前方から（後続車の視界方向から）は、マジックミラー部１２が鏡に見え、図１に示す如く、表示板１の文字部１３の文字等が視認されることはない。
【００２９】
運転者が追い抜きや割り込みなどの行為を行い、後続車に謝意のメッセージを表す場合、運転者は、操作スイッチをオンにし、ＬＥＤ３１を点灯させる。ＬＥＤ３１の光は、表示板１の文字部１３で運転者の意志を表示する文字等を表した形体で透過し、文字等を表した形体のままマジックミラー部１２を透過する。これにより、図２に示すように、謝意を表す文字等を表した形体の光は、自動車用表示装置の前方から（後続車の視界方向から）視認可能となる。
【００３０】
つまり、実施形態の自動車用表示装置によれば、操作スイッチがオフの場合には、後続車から文字等が視認されず、運転者が追い抜きや割り込みなどの行為を行い、操作スイッチがオンにされた場合に、はじめて運転者の意志を表示する文字等を表示板１に表示することができるため、後続車に謝意のメッセージを十分に伝えることができる。
【００３１】
また、実施形態の自動車用表示装置は、光源３が複数のＬＥＤ３１から構成され、ＬＥＤ３１が本体ケース２の周壁部２４の内側に備えられている。このため、謝意を表現する文字等が、ＬＥＤ３１の間接光によって表示板１に表示される。間接光であるため、表示板１に表示される謝意を表現する文字等は、直接光でなく均一化されて表示されるため、光の強弱のない均一化された文字とすることができ、視認性に優れ、とげのない温厚なものとなる。また、底部２３の明度Ｌ＊が５０以上であるため、反射率が高く、少ない電力で間接光を明るいものとすることができ、省エネルギー化が図られている。
【００３２】
図６，７は、本考案の第２実施形態に係る自動車用表示装置を示している。この自動車用表示装置は、第１実施形態の自動車用表示装置とは、表示板１の構成が異なり、文字部６３を備える文字板６を脱着可能な脱着手段５１が備えられている点で異なる。
【００３３】
第２実施形態の自動車用表示装置は、図６に示すように、表示板１の後方に、脱着手段５１（装入部）を備え、運転者の意志を表示する文字を透過する文字部６３を備える樹脂ガラス板６１からなる文字板６が、本体ケース２と光源３を覆うように装着可能となっている。文字部６３は、透明性を有する樹脂ガラス板６１に隠ぺい印刷を施すことや、隠蔽性を有する樹脂ガラス板６１から文字を切り欠くことによって形成することができる。文字板６は、図７に示すように、上側に設けられた脱着手段５１から挿入され、下側に設けられた嵌入溝５２に嵌入されることによって固定される。
【００３４】
文字板６は、脱着手段５１への脱着が可能であり、文字板６の交換が可能なものである。このため、文字板６の交換により、運転者の意志を表示する文字等を変えることができる。
【符号の説明】
【００３５】
１…表示板、２…本体ケース、３…光源、４…電源コード、６…文字板、１１…樹脂ガラス板、１２…マジックミラー部、１３…文字部、１４…隠蔽部、１５…非隠蔽部、２１…開口部、２３…底部、２４…周壁部、２５…面取り部、３１…ＬＥＤ、５１…脱着手段、５２…嵌入溝、６１…樹脂ガラス板、６３…文字部、Ｃ…自動車、ＲＷ…リアウインドー。
【図１】
0003216635.tif 000003
【図２】
0003216635.tif 000004
【図３】
0003216635.tif 000005
【図４】
0003216635.tif 000006
【図５】
0003216635.tif 000007
【図６】
0003216635.tif 000008
【図７】
0003216635.tif 000009
【図８】
0003216635.tif 000010
【手続補正書】
【提出日】平成30年4月3日(2018.4.3)
【手続補正１】
【補正対象書類名】実用新案登録請求の範囲
【補正対象項目名】全文
【補正方法】変更
【補正の内容】
【実用新案登録請求の範囲】
【請求項１】
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の後側に、該光源からの光が運転者の意志を表示する文字等として透過する文字部が形成され、該樹脂ガラス板の前側に金属蒸着層からなるマジックミラー部が形成されていることを特徴とする自動車用表示装置。
【請求項２】
前側に開口する開口部を有し、後側に閉塞した底部を有し、該開口部から該底部に向かって形成された周壁部を有する本体ケースと、該開口部を覆うように取り付けられる表示板と、該本体ケースの内側に設けられた光源と、を備える自動車用表示装置であって、
該表示板が樹脂ガラス板から構成され、該樹脂ガラス板の前側に金属蒸着層からなるマジックミラー部が形成され、
該表示板の後方の該本体ケースに、文字板が該本体ケースと該光源を覆うように脱着可能とする脱着手段を備え、
該文字板に、該光源からの光が運転者の意志を表示する文字として透過する文字部を備えていることを特徴とする自動車用表示装置。
【請求項３】
上記光源が複数のＬＥＤ（発光ダイオード）から構成され、該ＬＥＤが前記周壁部の内側に備えられ、前記底部の明度Ｌ*（ＪＩＳ  Ｚ  ８７８１−４）が５０以上であることを特徴とする請求項１又は２に記載の自動車用表示装置。
【手続補正２】
【補正対象書類名】明細書
【補正対象項目名】００１１
【補正方法】変更
【補正の内容】
【００１１】
ここで、上記自動車用表示装置において、上記光源が複数のＬＥＤ（発光ダイオード）から構成され、該ＬＥＤが前記周壁部の内側に備えられ、前記底部の明度Ｌ*（ＪＩＳ  Ｚ  ８７８１−４）が５０以上である構成とすることができる。
【手続補正３】
【補正対象書類名】明細書
【補正対象項目名】００１９
【補正方法】変更
【補正の内容】
【００１９】
本体ケース２の底部２３は、その明度Ｌ*（ＪＩＳ  Ｚ  ８７８１−４）が５０以上であることが好ましい。後述する光源３からの光の反射率を高くし、少ない電力で間接光を明るいものとすることができるためである。なお、実施形態の自動車用表示装置では、測定場所によっても異なるが、底部２３の明度Ｌ*は、８０〜９０の範囲の値となる。